(57)【要約】【課題】  商品の発注を効率的に行うことが可能な商品発注方法及びシステム、商品発注端末を提供する。【解決手段】  発注端末は商品を発注するための商品情報を表示する表示部１０１、表示部に表示された商品を発注するための入力を行う入力装置１０２、表示部に商品情報を所定の順番で表示させるための手段、表示切り替え指令に応じて表示部に商品情報を表示している状態から予め設定された商品情報を割り込ませて表示させるための手段を具備する。発注端末から商品を発注する場合には、表示部に商品情報を所定の順序で表示させる状態と、その状態から予め設定された商品情報を割り込ませて表示させる状態に切り替えて商品を発注する。【選択図】        図２
2006260018.tif 000002
【特許請求の範囲】
【請求項１】
商品を発注するための発注端末と、前記発注端末と通信ネットワークを介して接続され、前記発注端末からの商品の発注を受け付けるホストコンピュータとを有する商品発注システムにおいて、前記発注端末は、商品を発注するための商品情報を表示する表示部と、前記表示部に表示された商品を発注するための入力を行う手段と、前記表示部に商品情報を所定の順番で表示させるための第１の表示手段と、表示切り替え指令に応じて前記第１の表示手段により前記表示部に商品情報を表示している状態から予め設定された商品情報を割り込ませて表示させるための第２の表示手段とを有することを特徴とする商品発注システム。
【請求項２】
前記第１の表示手段は、店舗共通の商品並び順に商品情報を表示させるための商品情報が格納された第１のデータベースの商品情報に基づいて前記表示部に商品情報を所定の順番で表示させることを特徴とする請求項１に記載の商品発注システム。
【請求項３】
前記第２の表示手段は、店舗独自の並び順に商品情報を表示させるための商品情報が格納された第２のデータベースの商品情報に基づいて前記表示部に予め設定された商品情報を割り込ませて表示させることを特徴とする請求項１に記載の商品発注システム。
【請求項４】
前記第１のデータベース及び第２のデータベースは、前記発注端末内部又は前記ホストコンピュータ上に設けられていることを特徴とする請求項１〜３のいずれか１項に記載の商品発注システム。
【請求項５】
前記第１の表示手段により表示する商品情報には割り込み表示する商品情報を指定するための割り込み情報が付加されており、予め設定された商品情報を割り込んで表示する場合には、前記割り込み情報に基づいて商品情報を表示することを特徴とする請求項１〜４のいずれか１項に記載の商品発注システム。
【請求項６】
商品を発注する発注端末から通信ネットワークを介して接続されたホストコンピュータに商品発注情報を送信することによって商品を発注する商品発注方法において、前記発注端末は、商品を発注するための商品情報を表示する表示部と、前記表示部に表示された商品を発注するための入力を行う手段と、前記表示部に商品情報を所定の順番で表示させるための第１の表示手段と、表示切り替え指令に応じて前記第１の表示手段により前記表示部に商品情報を表示している状態から予め設定された商品情報を割り込ませて表示させるための第２の表示手段とを有し、前記発注端末から商品を発注する場合には、前記表示部に商品情報を所定の順序で表示させる状態と、その状態から予め設定された商品情報を割り込ませて表示させる状態とに切り替えて商品を発注することを特徴とする商品発注方法。
【請求項７】
商品を発注するための商品情報を表示する表示部と、前記表示部に表示された商品を発注するための入力を行う手段と、前記表示部に商品情報を所定の順番で表示させるための第１の表示手段と、表示切り替え指令に応じて前記第１の表示手段により前記表示部に商品情報を表示している状態から予め設定された商品情報を割り込ませて表示させるための第２の表示手段とを備えたことを特徴とする商品発注端末。
【請求項８】
前記第１の表示手段は、店舗共通の商品並び順に商品情報を表示させるための商品情報が格納された第１のデータベースの商品情報に基づいて前記表示部に商品情報を所定の順番で表示させることを特徴とする請求項７に記載の商品発注端末。
【請求項９】
前記第２の表示手段は、店舗独自の並び順に商品情報を表示させるための商品情報が格納された第２のデータベースの商品情報に基づいて前記表示部に予め設定された商品情報を割り込ませて表示させることを特徴とする請求項７に記載の商品発注端末。
【請求項１０】
前記第１のデータベース及び第２のデータベースは、端末内部又は端末に通信ネットワークを介して接続されたホストコンピュータ上に設けられていることを特徴とする請求項７に記載の商品発注端末。
【請求項１１】
前記第１の表示手段により表示する商品情報には割り込み表示する商品情報を指定するための割り込み情報が付加されており、予め設定された商品情報を割り込んで表示する場合には、前記割り込み情報に基づいて商品情報を表示することを特徴とする請求項７〜１０のいずれか１項に記載の商品発注端末。
【発明の詳細な説明】
【技術分野】
【０００１】
本発明は、商品を発注する方法及びシステム、それに用いる商品発注端末に関し、特に、商品発注端末における発注品の表示方法に関するものである。
【背景技術】
【０００２】
従来、コンビニエンスストア等の店舗において発注端末を用いて商品情報を表示し、発注入力を行うシステムがある。例えば、特開２０００−２０７４４９号公報に記載されているように携帯型コンピュータを用いて商品情報を画像で表示し、商品表示を商品棚の並び順とすることで、円滑に発注するシステムが知られている（特許文献１）。
【特許文献１】特開２０００−２０７４４９号公報
【発明の開示】
【発明が解決しようとする課題】
【０００３】
発注端末を用いて商品の発注を行う場合には、発注品の在庫数を確認しながら必要数を発注端末から入力する必要があるが、実際の店舗における商品の並び順は店舗によって異なる場合がある。その場合には、店舗の商品の並び順に発注端末の画面を切り替えたり、或いは商品の発注数をメモしておいて後でその商品が表示された時に数量を入力する等発注作業の効率が悪かった。
【０００４】
本発明の目的は、商品の発注を効率的に行うことが可能な商品発注方法及びシステム、商品発注端末を提供することにある。
【課題を解決するための手段】
【０００５】
本発明の商品発注システムは、上記目的を達成するため、商品を発注するための発注端末と、前記発注端末と通信ネットワークを介して接続され、前記発注端末からの商品の発注を受け付けるホストコンピュータとを有する商品発注システムにおいて、前記発注端末は、商品を発注するための商品情報を表示する表示部と、前記表示部に表示された商品を発注するための入力を行う手段と、前記表示部に商品情報を所定の順番で表示させるための第１の表示手段と、表示切り替え指令に応じて前記第１の表示手段により前記表示部に商品情報を表示している状態から予め設定された商品情報を割り込ませて表示させるための第２の表示手段とを有することを特徴とする。
【０００６】
また、本発明の商品発注方法は、商品を発注する発注端末から通信ネットワークを介して接続されたホストコンピュータに商品発注情報を送信することによって商品を発注する商品発注方法において、前記発注端末は、商品を発注するための商品情報を表示する表示部と、前記表示部に表示された商品を発注するための入力を行う手段と、前記表示部に商品情報を所定の順番で表示させるための第１の表示手段と、表示切り替え指令に応じて前記第１の表示手段により前記表示部に商品情報を表示している状態から予め設定された商品情報を割り込ませて表示させるための第２の表示手段とを有し、前記発注端末から商品を発注する場合には、前記表示部に商品情報を所定の順序で表示させる状態と、その状態から予め設定された商品情報を割り込ませて表示させる状態とに切り替えて商品を発注することを特徴とする。
【０００７】
また、本発明の商品発注端末は、商品を発注するための商品情報を表示する表示部と、前記表示部に表示された商品を発注するための入力を行う手段と、前記表示部に商品情報を所定の順番で表示させるための第１の表示手段と、表示切り替え指令に応じて前記第１の表示手段により前記表示部に商品情報を表示している状態から予め設定された商品情報を割り込ませて表示させるための第２の表示手段とを備えたことを特徴とする。
【発明の効果】
【０００８】
本発明によれば、発注端末の表示画面に店舗独自の商品棚の並び順に商品情報を割り込ませて表示することにより、日々の特売や季節商品等で陳列棚を組み替えることが多い、店舗独自の商品棚の商品陳列に合わせた発注を随時行うことができ、商品の発注作業を効率的に行うことができる。
【発明を実施するための最良の形態】
【０００９】
次に、発明を実施するための最良の形態について図面を参照して詳細に説明する。図１は本発明に係る商品発注端末の一実施形態の構成を示すブロック図である。図中１０１は液晶等を用いた表示部であり、商品を発注するための商品情報の表示を行う。１０２はタッチパネル等を用いた入力装置であり、表示部１０１に表示された商品情報を発注するための入力（商品及び数量）、或いは表示部１０１の表示を切り替えるのに用いられる。
【００１０】
１０３はメモリシステムであり、２つのデータベースを持っている。例えば、コンビニエンスストアやスーパーマーケット等の店舗において店舗共通の商品棚の並び順に表示するための商品情報が格納された商品並び順共通データベース１０５（図２参照）と、店舗別の商品棚の並び順に表示するための商品情報が格納された商品並び順店舗別データベース１０６（図２参照）とを持っている。これらのデータベースは発注端末内部に持っていても良いが、通信ネットワークを介して接続された外部装置に持つのが、発注端末の小型化や低コスト化、或いは商品発注システムの低コスト化等のために望ましい。
【００１１】
１０４はＣＰＵやＲＯＭ等を含むデータ演算処理器である。データ演算処理器１０４はプログラム制御によって動作するものであり、発注端末内部の各部を制御すると共に図示しない通信ネットワークを介して接続されたホストコンピュータとの通信を制御する。入力装置１０２から入力された発注情報は図示しない出力インターフェースを介して外部に出力される。各店舗における発注端末は上述のように通信ネットワーク（インターネット等）を介して図示しないホストコンピュータと接続されており、各店舗の発注端末からの商品発注情報はホストコンピュータで受け付けられ、各店舗の発注に応じて店舗毎に商品が発送される。
【００１２】
ホストコンピュータは各店舗の発注端末からの商品発注情報を受け付ける中央管理装置として機能するものであり、プログラム制御によって動作する演算処理部、各種データベース、出力装置等で構成され、店舗から受け付けた発注商品を出力する等の処理を行う。
【００１３】
図２は本実施形態の動作を説明するためのフローチャートである。図２において、まず、使用者が発注端末の入力装置１０２を操作して商品を発注するための商品表示を指示したものとする（ステップ１０１）。この場合には、入力装置１０１から各店舗共通の並び順に商品情報を表示するように指示されたとする。
【００１４】
店舗共通の並び順とは、例えば、コンビニエンスストアやスーパーマーケット等の店舗において、店舗共通の商品棚の商品の並び順をいう。これに対し、店舗によって商品棚の商品の並び順が異なる場合があるので、店舗毎の商品の並びを店舗独自の商品並び順という。
【００１５】
データ演算処理器１０４は入力装置１０２から商品表示が指示されると、商品並び順共通データベース１０５の検索処理を行い（ステップ１０２）、表示部１０１の表示画面上に商品情報を表示する（ステップ１０３）。
【００１６】
商品並び順共通データベース１０５は、各店舗共通の商品並び順に表示部１０１上に商品情報を表示させるためのものであり、データ演算処理器１０４は商品並び順共通データベース１０５を検索し、予め設定された並び順に商品情報を表示させる。この際、表示部１０１上にスクロール表示等によって複数の商品情報が表示され、入力装置１０２から不足商品に関して数量等を入力することによって商品の発注を行う。
【００１７】
また、商品並び順共通データベース１０５には、商品の分類情報（例えば、精肉、調味料等）、商品分類情報毎に商品を示す商品コード、商品棚におけるその商品の位置を示す位置情報、割り込み情報等が格納されている。割り込み情報とは、詳しく後述するようにその店舗において所定の順序で表示している状態から、ある商品を割り込んで表示部１０１上に表示する場合に、所定の順序で表示している商品から店舗独自の商品を指示するための情報である。
【００１８】
次に、使用者が入力装置１０２の操作により表示部１０１に店舗独自の商品並び順に商品情報を表示するように切り替えたとする（ステップ１０４）。このように入力装置１０２から商品表示の切り替え指示が入力されると、データ演算処理器１０４は商品並び順店舗別データベース１０６を検索し、表示部１０１上その店舗における独自の商品の並び順で商品情報を表示させる（ステップ１０５）。商品並び順店舗別データベース１０６には、コンビニエンスストアやスーパーマーケット等の各店舗の商品棚の商品陳列に応じて商品情報が格納されている。
【００１９】
例えば、ステップ１０３で図３に示すように精肉Ａ、精肉Ｂ、精肉Ｃというように分類が精肉の商品情報を表示部１０１上に表示させているものとする。ここで、その店舗において販売促進のため精肉の商品棚に分類が調味料の焼き肉のたれを陳列したとする。例えば、精肉の商品棚に精肉Ａ、精肉Ｂ、精肉Ｃの順で陳列し、精肉Ｃの次に調味料の焼き肉のたれを焼き肉のたれＡ、焼き肉のたれＢ、焼き肉のたれＣの順で陳列したものとする。
【００２０】
商品並び順共通データベース１０５には精肉の割り込み情報として調味料（焼き肉のたれ）が保持されており、その店舗の商品並び順店舗別データベース１０６には精肉の割り込み情報から割り込み表示させる商品としてその店舗における商品棚の調味料（焼き肉のたれ）の並び順に商品情報が格納されている。
【００２１】
ここで、精肉Ｃが表示された状態で商品表示を切り替えると、データ演算処理器１０４は商品並び順店舗別データベース１０６を検索する。この際、精肉に付加された割り込み情報から調味料（焼き肉のたれ）が指示され、図３に示すように商品並び順店舗別データベース１０６から商品情報が読み出され、その店舗における並び順に焼き肉のたれＡ、焼き肉のたれＢ、焼き肉のたれＣというように商品情報が表示される。
【００２２】
商品並び順店舗別データベース１０６には、商品の分類情報、商品分類情報毎に商品を示す商品コード、商品棚におけるその商品の位置を示す位置情報等が格納されている。このように調味料を表示して入力装置１０２から不足商品に関して数量等を入力することによって商品（この場合は焼き肉のたれ）の発注を行う。
【００２３】
また、入力装置１０２により商品表示を店舗共通の表示に切り替えると、もとの店舗共通の並び順の表示に戻る。例えば、図３に示すように精肉Ｃの状態で店舗独自の表示に切り替え、焼き肉のたれのいずれかで表示を切り替えると、もとの精肉Ｃの表示に戻る。
【００２４】
本実施形態では、店舗共通の商品の並び順に商品情報を表示するばかりでなく、店舗独自の商品の並び順に商品情報を割り込ませて表示することにより、店舗独自の商品陳列に合わせた表示を行うことができ、商品の発注作業を効率的に行うことができる。
【００２５】
例えば、従来において発注端末で精肉の商品棚の商品を表示する場合には、精肉のみ発注画面に表示されるが、販売促進のため精肉の商品棚に焼き肉のたれを並べたとすると、焼き肉のたれは本来別の棚に陳列されているため、発注端末の画面を調味料に変更して焼き肉のたれの発注を行う。それが終了すると、発注端末の発注画面を精肉に戻して精肉の発注を再開する必要がある。
【００２６】
本実施形態では、上述のように精肉の並びに調味料を登録することによって、表示画面の切り替えが少なくて商品検索が可能となるため、作業効率を向上できると共に、商品発注の作業時間を短縮することができる。
【図面の簡単な説明】
【００２７】
【図１】本発明の一実施形態の構成を示すブロック図である。
【図２】図１の実施形態の動作を説明するためのフローチャートである。
【図３】商品表示の一例を示す図である。
【符号の説明】
【００２８】
１０１  表示部
１０２  入力装置
１０３  メモリシステム
１０４  データ演算処理器
１０５  商品並び順共通データベース
１０６  商品並び順店舗別データベース
【図１】
2006260018.tif 000003
【図２】
2006260018.tif 000004
【図３】
2006260018.tif 000005